(57)【要約】      （修正有）【課題】コアの断面形状を工夫することにより、製造が容易でかつ位置決めが正確にできる弾性紐を提供する。【解決手段】伸縮性のコア１５と、このコア１５を被覆する可撓性の筒状外皮１６からなり、前記外皮１６は前記コア１５を摩擦的につかむのに足りるほどきつく編成する第１編組パターン部分と、前記コア１５から分離するのに足りるほどゆるく編成する第２編組パターン部分を交互に複数個有する弾性紐である。前記コア１５の断面形状は四角形である。【選択図】図２
2015112445.tif 000002
【特許請求の範囲】
【請求項１】
伸縮性のコア（１５）と、このコア（１５）を被覆する可撓性の筒状外皮（１６）からなり、
前記外皮（１６）は前記コア（１５）を摩擦的につかんで固定するのに足りるほどきつく編成する第１編組パターン部分（１４）と、前記コア（１５）から分離するのに足りるほどゆるく編成する第２編組パターン部分（１３）を交互に複数個有する弾性紐において、
前記コア（１５）の断面形状が四角形であることを特徴とする弾性紐。
【請求項２】
衣服の開閉手段、かばんの開閉手段、靴の開閉手段、帽子やアクセサリーの取付手段、荷物の梱包手段、のいずれかである請求項１記載の弾性紐。
【請求項３】
靴紐（１）である請求項２記載の弾性紐。
【発明の詳細な説明】
【技術分野】
【０００１】
本発明は弾性紐及びその用途に関する。
【背景技術】
【０００２】
弾性紐及びこれを使用した靴紐などを開示している従来技術として、例えば特許第３４９３００２号が知られている。この弾性紐は、伸縮性のコア（芯）を可撓性のシース（鞘）で被覆してなる。シースは、コアを摩擦的につかんで固定するのに足りるほどきつく編成する第１編組パターン部分と、コアから分離するのに足りるほどゆるく編成する第２編組パターン部分からなる。そのため、大径のコブ部（中間部分）と小径の連結部（端部分）が交互に繰り返される外観を呈する。この弾性紐は、例えば、結び目が必要のない靴紐として使用することができる。同様の考案は実開平７―１９３８７にも示されている。
【先行技術文献】
【特許文献】
【０００３】
【特許文献１】特許第３４９３００２号
【特許文献２】実開平７―１９３８７
【発明の概要】
【発明が解決しようとする課題】
【０００４】
上記特許第３４９３００２号の発明において弾性紐を製作するには、前記した第１編組パターン部分と第２編組パターン部分を交互に編成する必要がある。第１パターン部分編成のとき、コアを摩擦的につかんで固定する必要があるが、このコアは、同公報の図３を見ると断面が円形である。
【０００５】
しかし、断面が円形のコアはつかみにくく、つかめても正確な位置決めが難しい。度重なる使用中に第１パターン部分が滑って移動することもあるであろう。
【０００６】
この問題を解決するため、本発明では、コアの断面形状を工夫することにより、製造が容易でかつ位置決めが正確にできる弾性紐を提供することを目的とする。
【課題を解決するための手段】
【０００７】
上記目的を達成する本発明の弾性紐は、伸縮性のコアと、このコアを被覆する可撓性の筒状外皮からなり、前記外皮は前記コアを摩擦的につかんで固定するのに足りるほどきつく編成する第１編組パターン部分と、前記コアから分離するのに足りるほどゆるく編成する第２編組パターン部分を交互に複数個有するものにおいて、前記コアの断面形状が四角形であることを特徴とする（請求項１）。
【０００８】
この弾性紐は、靴の開閉手段、衣服の開閉手段、かばんの開閉手段、帽子やアクセサリーの取付手段、荷物の梱包手段、のいずれかとして使用することができる（請求項２）。靴の開閉手段としては靴紐があげられる（請求項３）。
【発明の効果】
【０００９】
本発明によれば、第１編組パターン部分をきつく編成するとき、対応部分のコアが四角形の原形をとどめないほど圧縮され、直径も縮小する。したがって、第１編組パターン部分（小径部分）と第２編組パターン部分（大径部分）では、コアの断面形状及び寸法が大きく異なるので、それぞれの位置設定が明確であり、互いに位置がずれたり移動したりすることがない。
【００１０】
本発明の弾性紐を例えば靴紐として使用したとき、靴紐に結び目を作らなくても靴紐はほどけることがない。
【００１１】
以下、添付の図面に基づいて、本発明の実施例を説明する。
【図面の簡単な説明】
【００１２】
【図１】本発明の１実施例に係る弾性紐である靴紐の正面図である。
【図２】図１におけるII-II線断面図である。
【図３】図１におけるIII-III線断面図である。
【図４】（ａ）は図１におけるIV-IV線断面図である。（ｂ）は（ａ）の紐を伸長した状態の断面図である。
【図５】図１の靴紐を使用した状態の靴の斜視図である。
【発明を実施するための形態】
【００１３】
図１の靴紐１は、本発明の１実施例であり、両端にパイピングによる硬化部１１が設けられている。図面では便宜上硬化部が左端のみ描かれている。靴紐本体１２は、図１及び図４（ａ）に示すように、大径のコブ部分１３と小径の連結部分１４が交互に繰り返される外観を呈している。
【００１４】
図２、図３の断面図に示すように、この靴紐１は中央に位置する伸縮性のコア１５を筒状外皮１６が被覆してなる。伸縮性のコア１５としては市販のゴム紐を使用するのが好都合である。筒状外皮１６としては、可撓性があればどのような素材でもよく、例えば、綿、ポリエステル、ナイロン、アクリル、弾性ゴム等の糸条を使用することができる。
【００１５】
図２が示す大径部分１３の図から明らかなように、コア１５は断面が四角形である。四角形としては正方形のものが普通であり、最も入手しやすい。
【００１６】
大径部分１３では筒状外皮１６はコアを摩擦的につかんでいないので、四角形の原形をとどめている。それに対して、図３の小径部分１４では、筒状外皮１６はコア１５を摩擦的につかんでいるので、コア１５は四角形の原形をとどめておらず、しかも直径が圧縮されている。
【００１７】
したがって、大径部分１３と小径部分１４では、コア１５の断面形状及び寸法が大きく異なるので、それぞれの位置設定が明確であり、互いに位置がずれたり移動したりすることがない。
【００１８】
この弾性紐１を製作するには、前記の特許第３４９３００２号の方法や特公昭５６―２１８６２号等の方法に本発明固有の変更を加えて使用することができる。
【００１９】
図４（ａ）に示すように、この弾性紐１は、平常時には、大径のコブ部分１３と小径の連結部分１４が明確に交互に現れる。この弾性紐１に力を加えて伸長すると、図４（ｂ）に示すように、大径のコブ部分１３と小径の連結部分１４が平均化されてなだらかになる。平常時の大径部分１３の直径をＤ１、伸長時の大径部分１３の直径をＤ２とすると、明確にＤ１＞Ｄ２である。
【００２０】
この靴紐１は、図５に示すような靴２に使用することができる。このとき、靴の紐孔を構成するアイレット２１の直径Ｄ３をＤ１＞Ｄ３＞Ｄ２の関係のものとすれば、靴紐の伸長時には靴紐の大径部分１３はアイレット２１を通過することができるが、通し終わって手を離すと大径部分１３はアイレット２１によって移動を制止される。したがって、靴紐に結び目を作らなくても靴紐１はほどけることがない。
【００２１】
以上の説明では、靴紐を例にとって説明したが、開閉や仮止めが必要な個所はどこにでも使用することができる。例えば、衣服の開閉手段、かばんの開閉手段、靴の開閉手段、帽子・アクセサリー・髪飾りの取付手段、荷物の梱包手段、などである。
【符号の説明】
【００２２】
１     弾性紐（例えば靴紐）
１１   硬化部
１２   靴紐本体
１３   コブ部分（大径部分）
１４   連結部分（小径部分）
１５   コア
１６   筒状外皮
２     靴
２１   アイレット
【図１】
2015112445.tif 000003
【図２】
2015112445.tif 000004
【図３】
2015112445.tif 000005
【図４】
2015112445.tif 000006
【図５】
2015112445.tif 000007